(57)【要約】【課題】間仕切り用と収納用に兼用可能で、急な仕様変更にも対応可能で、しかも戸板両面への取付も戸板木口からボルトでワンタッチで一対の取手を同時に取付又は取り外し可能で、しかも両面に取り付けても戸板両面からの取付ビス類の干渉せずに取手を同じ高さ位置に揃えて取り付け可能で外観仕上がり的にも優れ、強度的に安定して固定可能で長期耐久性にも優れた取手取付構造を提供する。【解決手段】把持部本体と脚部とからなる取手で脚部の片面に略半円形状の切欠部をが設け、取手の脚部どうしを嵌合させた時に、前記半円形状の切欠部どうしが合わさって取手取り付け用ボルトが挿通されるための取付穴が脚部どうしの合わせ目に形成され、戸板の両面から取手の前記脚部を差し込み、戸板の縦木口面から前記取付穴へ向けて係止手段を挿通させ取り付けるようにした。【選択図】        図５
2005036460.tif 000002
【特許請求の範囲】
【請求項１】
戸板の両面から取り付けられる左右一対の取手であって、該取手は把持部本体と脚部とからなり、該脚部の片面に切欠部が設けられ、該左右一対の取手の脚部どうしを嵌合させた時に、前記切欠部どうしが合わさって、取手取り付け用ボルトが挿通されるための取付穴が脚部どうしの合わせ目に形成され、戸板の両面から取手の前記脚部を差し込み、戸板の縦木口面から前記取付穴へ向けて係止手段を挿通させ取り付けることを特徴とする取手取付構造。
【請求項２】
前記取手が棒状の把持部と、その両端付近に突設された２本の脚部からなり、該脚部が断面形状略矩形の平板状からなり、該２本の脚部は、その先端部において高さ方向の上半分又は下半分が２本同じ方向に切欠され切欠段部が形成された形状を有しており、該切欠段部の水平面の略中程に略半円形状の切欠部が形成されるようにし、該取手と該取手を上下逆さにした取手を左右一対の取手とし、左右一対の取手の脚部どうしを嵌合させた時に前記半円形状の切欠部どうしが合わさって略円形形状の取付穴が形成されるような構成とし、該取手と該取手を上下逆さにした左右一対の取手をそれぞれの脚部を戸板の縦框見付面から前記取付穴が形成されるようにして差し込み、縦木口面から前記取付穴へ向けて係止手段としての取付ボルトを挿通させて取手を取り付けることを特徴とする請求項１に記載の取手取付構造。
【請求項３】
前記戸板の縦框の見付面に脚部差し込み用の差し込み穴が形成されており、前記取付ボルトが前記取付穴の直径よりも大きい直径を有するフラット部とその先端にそれよりも直径の小さな雄ネジ部が設けられており、その境界面に段部が形成されており、前記縦框の木口面に形成されたボルト穴を利用して取付ボルトを挿通し、該取り付けボルトの先端部に形成された雄ネジ部が前記脚部の取付穴を素通りし、その先の框延出部に設けられた雌ネジ部と螺着し、取付ボルトの前記段部の端面が、取手の前記脚部に当接し、取付ボルトの螺着力で脚部が段部端面によって押圧され、取手が固定されることを特徴とする請求項１又は２に記載の取手取付構造。
【発明の詳細な説明】
【０００１】
【発明の属する技術分野】
本発明は折戸、引き戸、開戸などの戸板に用いられる取手及び取手の取り付け構造に関する。
【０００２】
【従来の技術】
従来戸板は、その使用目的によって、二つの居住空間を仕切るための間仕切り用戸板と、居住空間と収納スペ−スを仕切るための収納用戸板の二つの種類に分けることができる。従来、折戸、引き戸、開戸などの戸板表面に用いられる取手は、間仕切り用戸板の場合は戸板の両面に取り付けられるが、収納用戸板の場合は、戸板の表面のみでよく通常、裏面の収納スペ−ス側に取手を設けない場合が多い。
【０００３】
従来、建具用金物としての取手は建具の開閉操作に関するものとして、握り玉、レバ−ハンドル、バ−ハンドル、彫り込み引き手等がある。なかでもお年寄りや子供のいる家庭においては、操作性が良く小さな力で操作可能な、レバ−ハンドルやバ−ハンドル式のものが好んで用いられている。（非特許文献１参照）
従来から有る取手は、間仕切り用戸板と収納用戸板とを相互に変更できる取手は皆無で、従って取手を戸板の両面と片面にどちらにでも相互に取付し直すことができるものは存在しなかった。
【０００４】
【非特許文献１】
建築文化１１月号臨時増刊、「内外装材チェックリスト」  株式会社彰国社、１９９１年１１月３０日、ｐ１０４−１０５
【０００５】
【発明が解決しようとする課題】
しかしながら、近年、住宅のリフォ−ムが盛んになり、間仕切り用戸板から収納用戸板へ変更したり、逆に収納用戸板から間仕切り用戸板へ変更したりする場合が多くなっており、それに伴って戸板表面の取手を両面に取り付けたり、片面に取り付けたり、相互に変更することが多くなった。間仕切り用戸板の場合、戸板の両面から取手を設ける必要があり、間仕切り用としての使用に限定されている場合は、錠とセットになって用いられ、戸板両面に取り付ける構造のドアノブやドアハンドルの場合の例のように、戸板両面から取り付けできるように初めから設計されており問題はないが、間仕切り用と収納用に兼用して用いることのできる戸板の場合は、取手を戸板の両面に取り付けるか又は片面にのみ取り付けるかは予め決められず、どちらでも対応できる仕組みが必要とされる。
【０００６】
また、間仕切り用として戸板の両面に取手を取り付ける場合、例えば木製の戸板の場合、戸板の両面から取り付けた取手どうしの取付用木ネジが互いに接触して取り付けに支障が生じ易く、そのために、通常、戸板の厚さと使用する木ネジの長さと木ネジ位置を確認して、木ネジどうしが戸板の両面から互いに干渉しないように配慮する必要があった。そこで、木ネジどうしを干渉しないようにするために短い木ネジを使用すればよいが、木ネジが短すぎると木ネジ保持力が十分に確保できず、取手取り付け強度が劣るものとなる。木製戸板以外の金属製戸板、樹脂成形体を用いた戸板の場合も同様である。
【０００７】
また、取手用の木ネジが互いに干渉しないようにするため、戸板両面からの取手を、互いに取り付け位置をずらせて、互いに木ネジどうしが干渉しないように配慮して取り付ける必要が生じることも多々あった。この場合、戸板の両面で取手位置が異なると見栄えが悪く外観意匠的に劣るものとなっていた。
【０００８】
また、取手取り付けに戸板の両面から取手をそれぞれ１本づつ取り付けするので、取手取り付け作業が２回必要で２度手間になっていた。また、初め間仕切り用として使用されていた戸板をリフォ−ム時に収納用として変更して用いる場合、取手取り付け用の木ネジの穴の跡が露出して見苦しくなることもあった。
【０００９】
また、間仕切り用と収納用に兼用して用いることのできる戸板の場合は、取手を戸板の両面に取り付けるか又は表面のみに取り付けるかは施工現場の仕様が決定されるまでは、あらかじめ決めつけておくことができない場合が多々あった。また、施工に入る前に仕様が急に変更されることもめずらしくない。さらに、施工現場での急な仕様変更があった際、間仕切り用戸板から、収納用戸板へ又はその逆の場合においても、取手を戸板の両面に取り付けるか又は片面に取り付けるかの切り替えにおいて、いちいち取手を初めから取り付けたり取り外したり、作業的にもめんどうなものであった。
【００１０】
本発明の目的は、取手の取付において、間仕切り用と収納用に兼用可能な取手取付構造で、施工現場の急な仕様変更があっても対応可能で、戸板の両面でも片面でも取手取付可能でしかも相互に極めて簡単に変更可能で、従って、倉庫で在庫する時も、間仕切り用と収納用とで兼用可能ゆえ、同じデザインの取手を間仕切り用と収納用で２種類在庫しておく必要はなく、１種類の在庫で済む。しかも戸板両面に取手を取り付ける場合も戸板木口からボルトでワンタッチで左右一対の取手を同時に取付又は取り外し又は片方のみを取付又は取り外すことも可能で、しかも戸板両面に取手を取り付ける場合、戸板両面からの取付ビス類が互いに干渉しないように取手それぞれを同じ高さ位置に揃えて取り付けることができ、外観仕上がり的にも優れ、しかも、取手をしっかりと安定して固定可能で長期耐久性に優れた取手取付構造を提供することにある。
【００１１】
【課題を解決するための手段】
上記目的を達成するために本発明に係る請求項１に記載の発明は、戸板の両面から取り付けられる左右一対の取手であって、該取手は把持部本体と脚部とからなり、該脚部の片面に切欠部が設けられ、該左右一対の取手の脚部どうしを嵌合させた時に、前記切欠部どうしが合わさって、取手取り付け用ボルトが挿通されるための取付穴が脚部どうしの合わせ目に形成され、戸板の両面から取手の前記脚部を差し込み、戸板の縦木口面から前記取付穴へ向けて係止手段を挿通させ取り付けることを特徴とする。
【００１２】
係る構成から、戸板両面に取手を取り付ける場合、戸板両面から左右一対の取手のそれぞれの脚部を差し込み脚部どうしを嵌合させた際に脚部に設けられた切欠部どうしが合わさって取付穴が形成される。戸板の縦木口面から前記取付穴へ向けて係止手段を挿通させることによって取手を左右一対同時にワンタッチで取付可能又は取り外し可能となる。また、左右片方の取手のみを取付又は取り外すこともできる。従って取り付け取り外し作業性が極めて良好である。
【００１３】
また、前記脚部に設けた切欠部は略半円形状が好適である。それ以外に略半楕円形状、略半矩形形状であってもよい。これらの中では略半円形状が製造加工工程、取手取付作業等を考慮すると好適である。
【００１４】
また、間仕切り用戸板の両面から取手を取り付けても、取手取り付け用のネジ類が互いに干渉し合って取付に支障が生じるといったことがない。また、収納用戸板の場合、収納スペ−ス側の取手を戸板木口からの係止手段をゆるめて簡単に取り外すことができる。逆に間仕切り用に切り替える場合も同様にして簡単に取手を取り付けることができ、このように間仕切り用と収納用に極めて簡単に切り替え可能となり、施工現場の急な仕様変更にも素早く対応可能となる。しかも倉庫で在庫する時も、間仕切り用と収納用とで兼用可能ゆえ、同じデザインの取手を間仕切り用と収納用で２種類在庫しておく必要はなく、１種類の在庫で済む。
【００１５】
本発明の請求項２に記載の発明は、請求項１に記載の取手取付構造において、前記取手が棒状の把持部と、その両端付近に突設された２本の脚部からなり、該脚部が断面形状略矩形の平板状からなり、該２本の脚部は、その先端部において高さ方向の上半分又は下半分が２本同じ方向に切欠され、切欠段部が形成された形状を有しており、該切欠段部の水平面の略中程に略半円形状の切欠部が形成されるようにし、該取手と該取手を上下逆さにした取手を左右一対の取手とし、左右一対の取手の脚部どうしを嵌合させた時に前記半円形状の切欠部どうしが合わさって略円形形状の取付穴が形成されるような構成とし、該取手と該取手を上下逆さにした左右一対の取手をそれぞれの脚部を戸板の縦框見付面から前記取付穴が形成されるようにして差し込み、縦木口面から前記取付穴へ向けて係止手段としての取付ボルトを挿通させて取手を取り付けることを特徴とする。
【００１６】
係る構成から、前記左右一対の取手の脚部どうしを嵌合させた時に半円形状の切欠部どうしが合わさって略円形形状の取付穴が形成され、該取付穴を利用して戸板の縦木口面から取付穴へ向けて取付ボルトを挿通させることで、戸板両面に取り付けられた左右一対の取手の把持部本体の高さ位置が揃うので取付後の外観仕上がり的にも優れたものとなる。さらに、前記したように、間仕切り用と収納用兼用が可能なこと、戸板の木口面から挿通された取付ボルトで取り付けるので戸板両面からのビス類の干渉がないこと、急な現場での仕様変更のも対応可能なこと、左右一対同時にワンタッチで取付取り外しが可能で、取り付け取り外し作業性が極めて良好なこと、在庫も１種類で済むこと等について、よりいっそう好適である。
【００１７】
本発明の請求項３に記載の発明は、請求項１又は２に記載の取手取付構造において、前記戸板の縦框の見付面に脚部差し込み用の差し込み穴が形成されており、前記取付ボルトが前記取付穴の直径よりも大きい直径を有するフラット部とその先端にそれよりも直径の小さな雄ネジ部が設けられており、その境界面に段部が形成されており、前記縦框の木口面に形成されたボルト穴を利用して取付ボルトを挿通し、該取り付けボルトの先端部に形成された雄ネジ部が前記脚部の取付穴を素通りし、その先の框延出部に設けられた雌ネジ部と螺着し、取付ボルトの前記段部の端面が、取手の前記脚部に当接し、取付ボルトの螺着力で脚部が段部端面によって押圧され、取手が固定されることを特徴とする。
【００１８】
係る構成から、取付ボルトの前記段部の端面が、取手の前記脚部に当接し、取付ボルトの螺着力で取手の脚部が段部端面によって押圧されて固定される構造ゆえ、取手をしっかりと安定して固定可能であり、長期使用においてもゆるみ脱落等がなく長期耐久性に優れたものとなる。さらに、前記したように、間仕切り用と収納用兼用が可能で１種類の在庫で済むこと、戸板の木口面から挿通された取付ボルトで取り付けるので戸板両面からのビス類の干渉がないこと、急な現場での仕様変更のも対応可能なこと、左右一対同時にワンタッチで取り付け取り外しが可能で、従って取り付け取り外し作業性が良好なこと、さらに長期耐久性にとっても、よりいっそう好適である。
【００１９】
【発明の実施の形態】
以下、本発明の実施の形態の一例を説明する。図１は本発明に係る取手取付構造の実施の形態の一例を示し、（イ）は斜視図、（ロ）は正面図である。図２は図１の（ロ）のＡ−Ａ線拡大断面図である。図３は本発明の左右一対の取手の脚部と切欠段部及び切欠部を示す正面図である。図４は本発明の左右一対の取手の説明図で、（イ）は脚部を互いに嵌合させ取付ボルト挿通前の状態を示す斜視図で、（ロ）は嵌合後取付ボルトで取り付けた状態を示す正面図である。図５は本発明の取手を戸板の縦框へ取り付ける状態を示す説明図で、（イ）は取手取付前の状態を示す斜視図で、（ロ）は取手取付前の状態を示す断面図である。
【００２０】
図１において、戸板４の左右縦框５ａ、５ｂいずれかの見付面Ｓの、床面（図示せず）から所定の高さ位置に本発明の取手１が取り付けられている。本例では戸板４は中にパネルＰが設けられており、該パネルＰの周囲は上框６ａ、下框６ｂ、縦框左５ａ、縦框右５ｂに囲われており、縦框左５ａの見付面Ｓに取手１が取り付けられている。本発明の取手１は把持部本体２と脚部３とからなり、本例では、戸板４の縦框左５ａの木口方向から見て左右一対の取手１が取り付けられている。左右一対の取手１の把持部本体２の取付高さや取付位置を合わせ、２本の脚部３が戸板４の縦框左５ａの見付面Ｓに戸板４の両面から差し込まれ、戸板４の縦框左５ａの木口面Ｋから２本の取付ボルトＢによって取り付けられている。
【００２１】
図２は図１の戸板をＡ−Ａ線に沿って水平方向に切断した断面を拡大したものであり、本例では、左右縦框５ａ、５ｂは、見付面Ｓがその中央部分において、戸板４の高さ方向に沿って、戸板厚み方向にくびれた断面形状を有している。このくびれは必須要件ではない。本例では、取手１の把持部本体２の形状は断面形状円形の円筒状で、いわゆる棒状体である。把持部本体２の断面形状や断面の大きさ、その長さは１例を示したものであり、本例以外であっても良い。
【００２２】
戸板４の木口方向から見て左右一対の取手１の脚部３それぞれが、前記縦框左５ａの見付面Ｓから差し込まれており、一方、縦框左５ａの木口面Ｋから前記脚部３を貫通して取付ボルトＢが挿通されている。このように本発明の取手取付構造は戸板４の両面に取手１を取り付ける場合、戸板４の木口面Ｋから、左右１個づつの脚部３に対して、１本の取付ボルトＢで取付できる。本例では、取手１個に脚部３が２本有するので取付ボルトＢは２本必要である。もちろん、取手１が戸板４の両面に各１個づつ必要でなく片方のみで良い場合は、左右の取手いずれかを取り外すことも可能である。
【００２３】
本例では、縦框左５ａの木口面Ｋに取付ボルトＢが挿通されてドライバ−差し込み溝ＢＭが露出し、外から見える例を示しているが、取付ボルトＢを縦框左５ａの内部へ少し沈めた状態にしておいて、生じた丸穴に化粧キャップ（図示せず）を被せて仕上げることもできる。化粧キャップは、塩ビ、ポリエステル、ＡＢＳ樹脂又はその他の合成樹脂成型体が好適に用いられる。また、このほかに、アルミ等金属製のものも利用できる。本例では取手１を縦框左５ａに取り付けているが、縦框右５ｂに取り付けても良い。また、両方の縦框に取り付けることも可能である。
【００２４】
図３図４において、本発明の取手１は棒状の把持部本体２とその両端付近に突設された２本の脚部３からなり、該２本の脚部３は断面形状が略矩形を有している。前記２本の脚部３はその先端部において高さ方向の上半分又は下半分が２本同じ向きに切欠されており、切欠段部Ｇが形成された形状を有している。該切欠段部Ｇの水平面の略中程に略半円形状の切欠部３ｃが形成されるようにし、該取手と該取手を上下逆さにした取手を左右一対の取手とし、左右一対の取手の脚部３どうしを嵌合させた時に前記切欠段部Ｇ及び半円形状の切欠部３ｃどうしが合わさって略円形形状の取付穴Ｈが形成される構成となっている。前記切欠部３ｃの形状は略半円形状以外に略半楕円形状、略半矩形形状であっても良い。これらの中では、略半円形状が好適である。この場合、取付穴の形状は略円形となり、製造工程で加工し易く、また、取り付けボルトＢで取り付ける場合、作業性も好適である。
【００２５】
本発明の取手１は間仕切り用の戸板に用いる取手として用いる場合は、戸板４の正面から見て左右一対の取手として戸板４の両面から取り付けられる。一方、収納用の戸板に用いる取手としては、間仕切り用の場合のように戸板４の両面から取手を取り付ける必要はなく戸板のどちらか片面のみでよい。戸板４の縦框５の木口面Ｋから挿通した取付ボルトＢを着脱させて適宜必要に応じてワンタッチで取手の着脱が可能で相互変換が可能である。
【００２６】
本発明の取手１の把持部本体２の形状は本例では棒状であるが、これに限定されるものではなく、本例に示す棒状ハンドルの他、レバ−ハンドル、ツマミ式取手等であってもよい。また、棒状ハンドルの場合でも本例に示す円筒状の取手の他、楕円柱、四角柱、三角柱、その他異形断面を有する棒状体等であってもよい。
【００２７】
また、脚部３はハンドル１本につき本例のように２本であってもよいし、ハンドル中央に１本の脚部であってもよい。また３本、又はそれ以上の数の脚部であってもよい。脚部３の形状は本例に示すように断面形状で矩形の平板状であってもよいし、取付ボルトＢを挿通する例えば半円形状の切欠部３Ｃの近傍が平板状であれば、その他の箇所は曲面でもよい。前記取手１の把持部本体２や脚部３の材質は金属製、合成樹脂製等が好適に用いることができる。これら以外に木製であっても良い。取手１の材質や取手１のサイズは標準的なものでよい。
【００２８】
取付ボルトＢは、その先端部に雄ネジ部ＢＮが形成されており、中央部分はネジ山のないフラット部ＢＦがあり、頭の部分は皿頭、ナベ頭など、標準的なものでよい。戸板４の木口面Ｋから取付ボルトＢの頭が大きく突出しているとひどい場合は、戸板４を閉めた際に縦枠（図示せず）との間で隙間が発生して大変見苦しくなる。取付ボルトＢの頭はなるべく突出しないように皿頭とするか取り付けボルトＢの頭を沈めてキャップ等で突出しないように蓋をするのが好適である。
【００２９】
取付ボルトＢの前記フラット部ＢＦと雄ネジ部ＢＮとの境界面に段部ＢＤが形成されており、該段部ＢＤの端面は平担状であり、フラット部ＢＦよりも細い直径を有する雄ネジ部ＢＮへと続いている。
【００３０】
本発明の取手１は取手を取り付ける戸板４が間仕切り用戸板である場合は、戸板木口面Ｋの正面から見て左右一対の取手を戸板両面から取り付けることになるが、それぞれの脚部３を嵌合させた際に前記切欠段部Ｇ及び切欠部３ｃどうしが合わさって取付穴Ｈが形成される。前記切欠部３ｃどうしを合わせた際に形成される取付穴Ｈの直径の大きさは、取付ボルトＢの前記雄ネジ部ＢＮの直径よりも十分に大きく、取付ボルトＢの前記フラット部ＢＦの直径よりも十分に小さい。
【００３１】
取手１と該取手１を上下逆さにした取手でもって左右一対の取手とし、これらの左右取手１ａ、１ｂの脚部３どうしを互いに嵌合させると、それぞれの脚部３の切欠部３ｃの合わせ目に取付穴Ｈが形成される。該取付穴Ｈに取付ボルトＢを挿通させて取手１を戸板４に取り付けるのである。
【００３２】
図２、図５において、本例では、戸板４の縦框左５ａの木口面Ｋに取付ボルトＢを挿通させるためのボルト穴ＫＨが設けられている。戸板４の縦框左５ａの見付面Ｓの断面形状は本例では、くびれた形状になっているが、これに限定されるものではない。前記見付面Ｓに取手１の脚部３を差し込むための差し込み穴ＳＪが設けられている。該差し込み穴ＳＪの形状、大きさは脚部の断面形状と大きさに合わせればよい。縦框左５ａの内部で前記脚部３の嵌合箇所を当接させるための框延出部Ｅが縦框左５ａの内部に形成されている。該框延出部Ｅはその中央に丸穴が形成されており、該丸穴には雌ネジ部ＦＮが形成されている。前記取付ボルトＢの先端の雄ネジ部ＢＮと前記框延出部Ｅに形成された丸穴の雌ネジ部ＦＮとは互いに螺着する構造となっている。取手を縦框右５ｂに取り付ける場合も同様である。
【００３３】
本発明の取手１を間仕切り用としての戸板４に取り付ける際の取付手順を説明する。取手１の脚部３を戸板４の縦框見付面Ｓの両面から差し込み、脚部３どうしを互いに嵌合させて取付ボルトＢを挿通させるための取付穴Ｈを形成する。同時に脚部３の平板状の面を戸板４の縦框５に形成した延出部Ｅに当接させた状態で、縦框５の木口面Ｋに設けられたボルト穴ＫＨから取付ボルトＢを挿通させ、取付ボルトＢの先端部の雄ネジ部ＢＮを脚部３どうしが合わさってできた取付穴Ｈを素通りさせ、その先の框延出部Ｅに設けられた雌ネジ部ＦＮと前記雄ネジ部ＢＮを螺着させる。この時、取付ボルトＢのフラット部ＢＦの直径が脚部の前記取付穴Ｈの直径よりも十分に大きいので、取付ボルトＢの段部ＢＤが脚部の取付穴Ｈの周辺に当接する。縦框５の木口面Ｋから取付ボルトＢをドライバ−差し込み溝ＢＭを利用して、ドライバ−で締め上げると前記雄ネジ部ＢＮと前記雌ネジ部ＦＮとが強く螺着して、この時の螺着力によって、取付ボルトＢの段部ＢＤの端面が取手１の脚部３の嵌合箇所を框延出部Ｅに向けて強く圧接する。この時の圧接力によって、取手１は戸板４にしっかりと固定される。
【００３４】
逆に戸板を間仕切り用途から収納用途へ切り替える際は、縦框５の木口面Ｋの取付ボルトＢをゆるめると極めて簡単に戸板両面のいずれか一方の取手を取り外すことができる。この時、取手１の脚部３が戸板４の片方だけからであるので、取付穴Ｈが丸穴とならず、半円形状のままであっても、取付ボルトＢの緊結力によって取手脚部３をしっかりと固定することができる。
【００３５】
【発明の効果】
以上のように、本発明の取手取付構造によれば、戸板の木口面から取手脚部どうしが合わさって形成される取付穴に取付ボルトを挿通させ、その緊結力で固定するので、取手の着脱がワンタッチで極めて簡単で、取手を戸板両面取付又は片面取付相互に変換が簡単にでき、しかも間仕切り用とクロ−ゼット用に兼用可能となり、在庫も１種類で済み、施工現場の急な仕様変更にも容易に対応可能となる。取手取付後も取手ハンドルの取付高さや取付位置が戸板両面で同じにできるので、外観仕上がり的にも優れ、しかも、取付ボルトの緊結力によって、取手をしっかりと安定して固定可能で長期耐久性に優れたものとなる。
【図面の簡単な説明】
【図１】本発明の取手取付構造の実施形態の一例を示す。
（イ）斜視図
（ロ）正面図
【図２】図１の（ロ）のＡ−Ａ線拡大断面図。
【図３】本発明の左右一対の取手の脚部とその切欠部を示す正面図。
【図４】本発明の左右一対の取手の説明図。
（イ）脚部を嵌合させ取付ボルト挿通前の状態を示す斜視図。
（ロ）脚部嵌合後取付ボルトで取り付けた状態を示す正面図。
【図５】本発明の取手を戸板縦框へ取り付ける状態を示す説明図。
（イ）取手取付前の状態を示す斜視図。
（ロ）取手取付前の状態を示す断面図。
【符号の説明】
１      取手
１ａ    左取手
１ｂ    右取手
２      把持部本体
３      脚部
３ｃ    切欠部
Ｇ      切欠段部
Ｈ      取付穴
４      戸板
Ｐ      パネル
５      縦框
５ａ    縦框左
５ｂ    縦框右
Ｓ      見付面
ＳＪ    差し込み穴
Ｅ      延出部
ＦＮ    雌ネジ部
Ｋ      木口面
ＫＨ    ボルト穴
６ａ    上框
６ｂ    下框
Ｂ      取付ボルト
ＢＭ    ドライバ−差し込み溝
ＢＦ    フラット部
ＢＤ    段部
ＢＮ    雄ネジ部
【図１】
2005036460.tif 000003
【図２】
2005036460.tif 000004
【図３】
2005036460.tif 000005
【図４】
2005036460.tif 000006
【図５】
2005036460.tif 000007